(57)【要約】【課題】配線を薄くし、伝送に際して処理が高速化しても、外部から受けるノイズの対策が可能な装着型表示装置を提供すること。【解決手段】左右の眼に対応して画像を表示する第１表示装置１００Ａ及び第２表示装置１００Ｂと、第１表示装置１００Ａから第２表示装置１００Ｂにかけて延びて信号を伝送するフレキシブル基板ＦＢ１と、フレキシブル基板ＦＢ１に重ねて配置されるフレキシブル基板ＦＢ２とを備え、フレキシブル基板ＦＢ１の表面のうち、第２フレキシブル基板であるフレキシブル基板ＦＢ２に重なる面と反対側の面がシールドされており、フレキシブル基板ＦＢ２の表面のうち、フレキシブル基板ＦＢ１に重なる面と反対側の面がシールドされている。【選択図】図３
2020195105.tif 000002
【特許請求の範囲】
【請求項１】
左右の眼に対応して画像を表示する第１表示装置及び第２表示装置と、
前記第１表示装置から前記第２表示装置にかけて延びて信号を伝送する第１フレキシブル基板と、
前記第１フレキシブル基板に重ねて配置される第２フレキシブル基板と
を備え、
前記第１フレキシブル基板の表面のうち、前記第２フレキシブル基板に重なる面と反対側の面がシールドされており、
前記第２フレキシブル基板の表面のうち、前記第１フレキシブル基板に重なる面と反対側の面がシールドされている、装着型表示装置。
【請求項２】
前記第１フレキシブル基板の位置決めをする基板位置決め部材をさらに備える、請求項１に記載の装着型表示装置。
【請求項３】
前記基板位置決め部材は、凸形状を有する補強板である、請求項２に記載の装着型表示装置。
【請求項４】
前記第１フレキシブル基板を固定する第１テープ部材と、前記第２フレキシブル基板を固定する第２テープ部材とは、重畳しないように配置されている、請求項１〜３のいずれか一項に記載の装着型表示装置。
【請求項５】
前記第１フレキシブル基板は、前記第１表示装置及び前記第２表示装置のいずれかと接続されており、
前記第２フレキシブル基板は、外光センサーと接続されている、請求項１〜４のいずれか一項に記載の装着型表示装置。
【請求項６】
前記第１フレキシブル基板及び前記第２フレキシブル基板は、高速信号線を含む、請求項１〜５のいずれか一項に記載の装着型表示装置。
【請求項７】
前記第１フレキシブル基板及び前記第２フレキシブル基板は、グランドメッシュ線によりシールドされる、請求項１〜６のいずれか一項に記載の装着型表示装置。
【請求項８】
前記第１フレキシブル基板及び前記第２フレキシブル基板を収納するカバー部材をさらに備え、
前記第１表示装置及び前記第２表示装置は、画像光を導光する導光装置を有し、
前記第１フレキシブル基板及び前記第２フレキシブル基板は、前記カバー部材に取り付けられて、前記導光装置から離間している、請求項１〜７のいずれか一項に記載の装着型表示装置。
【請求項９】
前記カバー部材は、中心と両端の３箇所で、前記第１表示装置及び前記第２表示装置に対して固定されている、請求項１〜８のいずれか一項に記載の装着型表示装置。
【請求項１０】
前記第１表示装置と前記第２表示装置とは、連結された一体的な部材であり、前記第１表示装置から前記第２表示装置にかけて面一で延びる平面を有し、
前記第１フレキシブル基板は、前記平面に沿って延びている、請求項１〜９のいずれか一項に記載の装着型表示装置。
【請求項１１】
左右の眼に対応して画像を表示する第１表示装置及び第２表示装置と、
前記第１表示装置から前記第２表示装置にかけて延びて信号を伝送するフレキシブル基板と、
前記フレキシブル基板を収納するカバー部材と
を備え、
前記第１表示装置及び前記第２表示装置は、画像光を導光する導光装置を有し、
前記フレキシブル基板は、シールドされ、前記カバー部材に取り付けられて、前記導光装置から離間している、装着型表示装置。
【請求項１２】
前記カバー部材に対する前記フレキシブル基板の位置決めをする基板位置決め部材をさらに備える、請求項１１に記載の装着型表示装置。
【請求項１３】
前記第１表示装置と前記第２表示装置とは、連結された一体的な部材であり、前記第１表示装置から前記第２表示装置にかけて面一で延びる平面を有し、
前記フレキシブル基板及び前記カバー部材は、前記平面に沿って延びている、請求項１１及び１２のいずれか一項に記載の装着型表示装置。
【発明の詳細な説明】
【技術分野】
【０００１】
本発明は、虚像等を観察者に提示する装着型表示装置に関する。
【背景技術】
【０００２】
装着型表示装置における伝送のための接続方法として、例えば装着型表示装置の一態様であるシースルー型のヘッドマウントディスプレイ（ＨＭＤ）において、ハーネスケーブル構造を採用しているものが知られている（特許文献１）。
【先行技術文献】
【特許文献】
【０００３】
【特許文献１】特開２０１５−１２６３３６号公報
【発明の概要】
【発明が解決しようとする課題】
【０００４】
特許文献１の装置のように、ハーネスケーブル構造を用いた場合、小型化の要請が大きいＨＭＤにおいては、ハーネスケーブルは、厚く、かつ、重い物となってしまう可能性がある。例えば、左右の眼に対応した一対構成の装着型表示装置において、左右の一方から他方にかけてケーブルを配線する場合、ケーブルを薄くすることが必要となる。さらに、伝送に際して画像データ等のデータ量が増大して処理が高速化する場合、外部から受けるノイズの対策も重要となる。
【課題を解決するための手段】
【０００５】
本発明の一側面における装着型表示装置は、左右の眼に対応して画像を表示する第１表示装置及び第２表示装置と、第１表示装置から第２表示装置にかけて延びて信号を伝送する第１フレキシブル基板と、第１フレキシブル基板に重ねて配置される第２フレキシブル基板とを備え、第１フレキシブル基板の表面のうち、第２フレキシブル基板に重なる面と反対側の面がシールドされており、第２フレキシブル基板の表面のうち、第１フレキシブル基板に重なる面と反対側の面がシールドされている。
【図面の簡単な説明】
【０００６】
【図１】第１実施形態の装着型表示装置の概要を示す斜視図である。
【図２】装着型表示装置の一構成例について外観を示す斜視図である。
【図３】図２の装着型表示装置の内部構造を示す斜視図である。
【図４】図３の一部拡大図である。
【図５】装着型表示装置の回路構成を説明する概念的なブロック図である。
【図６】画像光の光路について示す概念的な平面図である。
【図７】装着型表示装置の内部構造を示す平面図である。
【図８】装着型表示装置について一部拡大した平面図である。
【図９】フレキシブル基板の取付工程について説明するための概念図である。
【図１０】装着型表示装置を一部拡大した側断面図である。
【図１１】フレキシブル基板の構造について一例を示す概念的な断面図である。
【図１２】照度センサーについて一例を説明するための正面図である。
【図１３】装着型表示装置のうち照度センサーを含む部分について拡大した側断面図である。
【図１４】照度センサーについて一変形例を説明するための図である。
【図１５】図１５の照度センサーについて装着型表示装置を一部拡大して示す斜視図である。
【図１６】第２実施形態の装着型表示装置の外観を示す正面図である。
【図１７】装着型表示装置の回路構成を説明する概念的なブロック図である。
【図１８】フレキシブル基板の固定方法について概念的に示す平面図である。
【図１９】カメラの一例について構造を説明するための斜視図である。
【図２０】図１９のカメラについて内部構造を説明するための側断面図である。
【発明を実施するための形態】
【０００７】
〔第１実施形態〕
以下、図面を参照しつつ、本発明の第１実施形態に係る装着型表示装置について一例を説明する。
【０００８】
図１〜図４に示すように、実施形態の装着型表示装置１００は、眼鏡のような外観を有するヘッドマウントディスプレイ（ＨＭＤ）である。図１等において、Ｘ、Ｙ、及びＺは、直交座標系であり、＋Ｘ方向は、装着型表示装置１００を装着した観察者の両眼の並ぶ横方向に対応し、＋Ｙ方向は、観察者にとっての両眼の並ぶ横方向に直交する下方向に相当し、＋Ｚ方向は、観察者にとっての前方向又は正面方向に相当する。
【０００９】
図１等に示すように、装着型表示装置１００は、この装着型表示装置１００を装着した観察者又は装着者ＵＳに対して、虚像を視認させることができるだけでなく、外界像をシースルーで観察させることができる。装着型表示装置１００は、ケーブル１０９を介してスマートフォンその他の外部装置ＥＤに対して通信可能に接続することができ、例えば外部装置ＥＤから入力された映像信号に対応する虚像を形成することができる。装着型表示装置１００は、第１表示装置１００Ａと、第２表示装置１００Ｂとを備える。第１表示装置１００Ａと第２表示装置１００Ｂとは、左眼用の虚像と右眼用の虚像とをそれぞれ形成する部分である。左眼用の第１表示装置１００Ａは、観察者の眼前を透視可能に覆う第１虚像形成光学部１０１ａと、画像光を形成する第１像形成本体部１０５ａとを備える。右眼用の第２表示装置１００Ｂは、観察者の眼前を透視可能に覆う第２虚像形成光学部１０１ｂと、画像光を形成する第２像形成本体部１０５ｂとを備える。すなわち、第１表示装置１００Ａ及び第２表示装置１００Ｂにより、左右の眼に対応した画像の表示がなされる。
【００１０】
第１及び第２像形成本体部１０５ａ，１０５ｂの後部には、頭部の側面から後方に延びるつる部分であるテンプル１０４が取り付けられており、観察者の耳やこめかみ等に当接することで装着型表示装置１００の装着状態を確保する。また、例えば図３あるいは図７等に示すように、第１及び第２虚像形成光学部１０１ａ，１０１ｂ間に形成された窪みには、テンプル１０４とともに支持部を構成するノーズパッドＮＰが設けられており、このノーズパッドＮＰは、観察者の眼に対する虚像形成光学部１０１ａ，１０１ｂ等の位置決めを可能にする。なお、ノーズパッドＮＰは、取付具ＴＰによって第１表示装置１００Ａ及び第２表示装置１００Ｂを一体化する透視型導光ユニット１００Ｃの中央部材５０に組付けられている。透視型導光ユニット１００Ｃ及びこれを構成する中央部材５０については、後述する。
【００１１】
第１及び第２虚像形成光学部１０１ａ，１０１ｂは、別体ではなく中央で連結されて一体的な部材である透視型導光ユニット１００Ｃを形成している。透視型導光ユニット１００Ｃは、一対の導光部材１０ａ，１０ｂと中央部材５０とを備える。一対の導光部材１０ａ，１０ｂは、画像光を内部に伝搬させつつ虚像形成に寄与する一対の光学部材である。中央部材５０は、一対の光透過部５０ａ，５０ｂを有し、一方の光透過部５０ａは、一方の導光部材１０ａに接合され、他方の光透過部５０ｂは、他方の導光部材１０ｂに接合される。透視型導光ユニット１００Ｃは、導光によって観察者に両眼用の映像を提供する複合型の導光装置２０であり、両端部つまり導光部材１０ａ，１０ｂの先端側で外装ケース１０５ｄに支持されている。
【００１２】
本実施形態では、透視型導光ユニット１００Ｃは、上面すなわち＋Ｙ側の面として、第１表示装置１００Ａから第２表示装置１００Ｂにかけて面一で延びる平面ＦＳを有するものとなっている。
【００１３】
透視型導光ユニット１００Ｃの上面には、カバー構造部として、カバー部材ＦＣ（ＦＰＣカバー）が設けられている。カバー部材ＦＣと透視型導光ユニット１００Ｃとの間には、薄く狭い空間が形成されており、第１像形成本体部１０５ａと第２像形成本体部１０５ｂとを電気的に連結するケーブルが延びている。
【００１４】
以下、図１〜図５等を参照して、装着型表示装置１００の内部構造等について説明する。図１に示すように、第１像形成本体部１０５ａは、カバー状の外装ケース１０５ｄ内に、表示素子８０、鏡筒３８、メイン回路基板ＭＤ、左眼用回路基板ＤＬ等を有する。一方、第２像形成本体部１０５ｂは、外装ケース１０５ｄ内に、表示素子８０、鏡筒３８、右眼用回路基板ＤＲ等を有する。なお、第１像形成本体部１０５ａの外装ケース１０５ｄについては、区別のため、第１外装ケース１０５ｄと呼ぶこともある。同様に、第２像形成本体部１０５ｂの外装ケース１０５ｄについては、第２外装ケース１０５ｄと呼ぶこともある。また、外装ケース１０５ｄは、例えばマグネシウム合金等を材料としている。
【００１５】
例えば、第１像形成本体部１０５ａにおいて、第１外装ケース１０５ｄに収納される表示素子８０は、左眼用の虚像に対応する像を形成すべく画像光を射出する表示デバイスである。投射レンズ３０は、表示素子８０からの画像光を射出するものであり、第１虚像形成光学部１０１ａにおいて結像系の一部を構成する。鏡筒３８は、投射レンズ３０の一部として、投射レンズ３０を構成する像形成用の光学素子（不図示）を保持する。
【００１６】
なお、第２像形成本体部１０５ｂについても、第２外装ケース１０５ｄに収納される表示素子８０と、鏡筒３８を含む投射レンズ３０とは、右眼用の虚像に対応する像を形成すべく同様の機能を果たす。
【００１７】
メイン回路基板ＭＤは、外部からの情報を含む信号を処理する信号処理基板である。ここで、外部からの情報は、典型的には外部装置ＥＤからの画像データである。メイン回路基板ＭＤは、外部とのインターフェース機能を有するとともに、左眼用回路基板ＤＬ及び右眼用回路基板ＤＲの表示動作を管理し制御している。このため、図３〜図５に示すように、メイン回路基板ＭＤは、ケーブルにより各部と接続されている。
【００１８】
左眼用回路基板ＤＬは、第１像形成本体部１０５ａ中の表示素子８０を駆動する駆動回路基板であり、メイン回路基板ＭＤの制御下で動作する。
【００１９】
同様に、右眼用回路基板ＤＲは、第２像形成本体部１０５ｂ中の表示素子８０を駆動する駆動回路基板であり、メイン回路基板ＭＤの制御下で動作する。
【００２０】
また、上記のほか、本実施形態では、照度センサーＬＳが設けられている。照度センサーＬＳは、ＡＬＳ（Ambient Light Sensor）であり、観察者の反応にあった周囲光強度の測定を行う外光センサーである。このため、照度センサーＬＳは、図２〜図４に示すように、観察者にとっての前方向又は正面方向に相当する＋Ｚ方向に向けて配置されており、観察者の眼に入る光量を検知可能とすべく、メイン回路基板ＭＤの制御下で動作する。
【００２１】
なお、メイン回路基板ＭＤ等の各種回路基板は、絶縁性の樹脂基板の表面や内部に配線を形成したものであり、表面にＩＣや電子素子をマウントした構造を有する。
【００２２】
本実施形態では、メイン回路基板ＭＤを上記各部と接続するためのケーブルとして、フレキシブル基板すなわちＦＰＣ（Flexible Printed Circuit）基板が採用されている。具体的には、まず、メイン回路基板ＭＤと右眼用回路基板ＤＲとを接続する第１フレキシブル基板として、右眼用フレキシブル基板ＦＢ１が、第１表示装置１００Ａから第２表示装置１００Ｂにかけて延びている。すなわち、右眼用フレキシブル基板ＦＢ１は、第１表示装置１００Ａから第２表示装置１００Ｂにかけて面一で延びる上面である平面ＦＳに沿って延びている。また、メイン回路基板ＭＤと左眼用回路基板ＤＬとを接続する第２フレキシブル基板として、左眼用フレキシブル基板ＦＢ２が設けられている。このほか、メイン回路基板ＭＤと照度センサーＬＳとを接続する照度センサー用フレキシブル基板ＦＢ３が設けられている。なお、本実施形態では、例えば照度センサー用フレキシブル基板ＦＢ３についても第２フレキシブル基板とする。すなわち、以下では、第１表示装置１００Ａから第２表示装置１００Ｂにかけて延びて信号を伝送するフレキシブル基板（右眼用フレキシブル基板ＦＢ１）を第１フレキシブル基板とし、第１フレキシブル基板以外のフレキシブル基板であって、第１フレキシブル基板に重ねて配置されるフレキシブル基板（眼用フレキシブル基板ＦＢ２及び照度センサー用フレキシブル基板ＦＢ３）を第２フレキシブル基板とする。なお、以下では、上記各フレキシブル基板について、例えば右眼用フレキシブル基板ＦＢ１を、単に、フレキシブル基板ＦＢ１等と記載することもあるものとする。
【００２３】
さらに、本実施形態では、図４に例示するように、これら複数のフレキシブル基板ＦＢ１〜ＦＢ３を一部重畳させている。なお、図示の一例では、フレキシブル基板ＦＢ２が、最も下方側（＋Ｙ側）に位置し、その上にフレキシブル基板ＦＢ１が重畳され、フレキシブル基板ＦＢ３が、最も上方側（−Ｙ側）に位置している。
【００２４】
以下、図５に概念的に示すブロック図を参照して、フレキシブル基板ＦＢ１〜ＦＢ３の構成について説明する。なお、図示において、フレキシブル基板ＦＢ１〜ＦＢ３の表面にハッチングで示す部分は、シールドを施している箇所を示しており、これらを例えばシールド部Ｓ１ａ等として示している。フレキシブル基板は、シールド部Ｓ１ａ等によって覆われることで、電磁的に遮蔽される。より具体的には、上方側（−Ｙ側）にあるシールド部（例えばシールド部Ｓ１ａ）もしくは下方側（＋Ｙ側）にあるシールド部（例えばシールド部Ｓ１ｂ）が、フレキシブル基板ＦＢ１〜ＦＢ３のマイナス電位（ＧＮＤ配線）とスルーホールで接続されることで電気的に接続されて、これらの間にある信号線等がシールドされる。なお、シールド部Ｓ１ａ等は、必要に応じて、さらに外部の装置に接続されることで、グランド（ＧＮＤ）される、すなわち当該外部の装置における基準電位（０ボルト以下の線）に接続される。以上のようにしてシールドされることで、フレキシブル基板内の信号線等は、フレキシブル基板の外部からのノイズによる影響を避けることができる。
【００２５】
また、シールドすなわちシールドを行うものとは、上記したシールド部Ｓ１ａ等のように、フレキシブル基板ＦＢ１〜ＦＢ３の信号線を覆うように配置されるものであり、両面シールドの場合は、スルーホール等による接続により、両面シールドを構成する上下のシールドを導通させ高速の信号線を両側から覆うように構成されている。
【００２６】
図５のうち上欄の状態αは、上述した装着型表示装置１００における回路構成すなわちメイン回路基板ＭＤや左眼用回路基板ＤＬ、右眼用回路基板ＤＲ等の配置や、これらの接続の様子について示している。また、状態αのうち、一部重畳して配置される各フレキシブル基板ＦＢ１〜ＦＢ３を重畳させた状態について、図５の下欄において、状態βとして概念的に示している。なお、フレキシブル基板ＦＢ１〜ＦＢ３の上下方向（＋Ｙ方向及び−Ｙ方向）の配置については、図４の場合に対応している。
【００２７】
まず、フレキシブル基板ＦＢ１〜ＦＢ３のうち、第１フレキシブル基板である右眼用フレキシブル基板ＦＢ１と、第２フレキシブル基板である左眼用フレキシブル基板ＦＢ２とは、画像データの伝送を担う。このため、例えば高画質な動画画像のデータ送信を可能とすべく、右眼用フレキシブル基板ＦＢ１及び左眼用フレキシブル基板ＦＢ２は、高速信号線を含むものとなっている。ここでの高速信号線については、上記のように、動画画像のデータ送信を可能とする程度のものを意味するが、例えば、パラレル転送で１００ＭＨｚ程度、シリアル転送で４００ＭＨｚ〜２０ＧＨｚ程度等と想定することが考えられる。例えば、画像データを送信する外部の装置として、携帯機器等を想定した場合、携帯機器内のデータ伝送の標準規格である画像伝送のＭＩＰＩにおける、伝送速度が１Ｇｂｐｓとした場合、周波数が５００ＭＨｚ程度となることが想定される。なお、照度センサー用フレキシブル基板ＦＢ３については、同様に、高速信号線とすることも考えられるが、必ずしも高速信号線を採用することを要せず、ここでは、高速信号線を含まないものとする。
【００２８】
右眼用フレキシブル基板ＦＢ１は、既述のように、第１表示装置１００Ａから第２表示装置１００Ｂにかけて延びて、第２表示装置１００Ｂに向けて各種信号等を伝送する。すなわち、右眼用フレキシブル基板ＦＢ１を介して、メイン回路基板ＭＤから右眼用回路基板ＤＲに向けて、右眼用の画像データが出力される。また、右眼用フレキシブル基板ＦＢ１は、第２表示装置１００Ｂの各部を駆動させるための電力供給用ケーブルとしても機能する。
【００２９】
左眼用フレキシブル基板ＦＢ２は、第１表示装置１００Ａに向けて各種信号等を伝送する。すなわち、左眼用フレキシブル基板ＦＢ２を介して、メイン回路基板ＭＤから左眼用回路基板ＤＬに向けて、左眼用の画像データが出力される。また、左眼用フレキシブル基板ＦＢ２は、第１表示装置１００Ａの各部を駆動させるための電力供給用ケーブルとしても機能する。
【００３０】
以上のように、本実施形態では、ケーブルとして高速信号線を含む複数のフレキシブル基板を採用し、さらに、これらを重畳させることで、大容量のデータ送信を可能としつつ、薄型で省スペースな構成となる配線を可能にしている。
【００３１】
ここで、上記のように、高速信号線を採用する場合、特に、外部から受けるノイズの対策が、重要となる。これに対して、本実施形態では、高速信号線を含む右眼用フレキシブル基板ＦＢ１及び左眼用フレキシブル基板ＦＢ２において、全体としてシールドされた状態となるように構成している。
【００３２】
具体的一態様として、図５の場合、右眼用フレキシブル基板ＦＢ１と左眼用フレキシブル基板ＦＢ２とが重畳された箇所において、重なる面と反対側の面がシールドされている。図示の場合、まず、右眼用フレキシブル基板ＦＢ１の表面のうち、左眼用フレキシブル基板ＦＢ２に重なる面と反対側（−Ｙ側）の面には、シールド部Ｓ１ａが設けられてシールドされている。一方、左眼用フレキシブル基板ＦＢ２に重なる側（＋Ｙ側）の面のうち、左眼用フレキシブル基板ＦＢ２と重なる重畳面Ｕ１ｂには、シールドがされていない。なお、左眼用フレキシブル基板ＦＢ２に重なる側（＋Ｙ側）であっても、左眼用フレキシブル基板ＦＢ２と重ならない面については、シールド部Ｓ１ｂが設けられてシールドされている。
【００３３】
また、左眼用フレキシブル基板ＦＢ２の表面のうち、右眼用フレキシブル基板ＦＢ１に重なる面と反対側（＋Ｙ側）の面には、シールド部Ｓ２ｂが設けられてシールドされている。一方、右眼用フレキシブル基板ＦＢ１と重なる重畳面Ｕ２ａには、シールドがされていない。
【００３４】
以上のような構成の場合、状態βに示すように、高速信号線を含む右眼用フレキシブル基板ＦＢ１及び左眼用フレキシブル基板ＦＢ２は、重畳された状態において、シールド部Ｓ１ａ，Ｓ１ｂ，Ｓ２ｂが電気的に接続されることにより、全体としてシールドされた状態となる。
【００３５】
なお、各シールド部Ｓ１ａ，Ｓ１ｂ，Ｓ２ｂについては、例えば全体として、右眼用フレキシブル基板ＦＢ１及び左眼用フレキシブル基板ＦＢ２を覆って、かつ、図１に例示した外部装置ＥＤに接続されてグランドされている、すなわち外部装置ＥＤにおけるマイナス電位（０ボルト以下の線）に接続されている。
【００３６】
また、シールド部Ｓ１ａ，Ｓ１ｂ，Ｓ２ｂの構成については、種々の態様が考えられ、伝導性ペーストを施すものや、伝導性シート部材を用いるもの、あるいはメッシュグランド（グランドメッシュ線）を採用すること等が考えられる。このほか、電磁波全面シールドフィルムを貼り付けて構成したり、フレキシブル基板（ＦＰＣ）を両面黒の一体型電磁シールドＦＰＣとしたりしてもよい。両面黒の一体型電磁シールドＦＰＣとする場合、遮光効果も期待される。さらに、カバー部材ＦＣ（ＦＰＣカバー）側にシールド用の各種部材を貼り付けてもよい。また、樹脂材料の表面にメッキを施したものを、電磁シールドとして採用することも考えられる。
【００３７】
図６は、第１表示装置１００Ａの一部を示す図であり、特に第１虚像形成光学部１０１ａの光学的構造を説明するものとなっている。装着型表示装置１００は、図１等を参照して説明したように、第１表示装置１００Ａ及び第２表示装置１００Ｂで構成されるが、第１表示装置１００Ａ及び第２表示装置１００Ｂとは、左右対称で同等の構造を有するため、第１表示装置１００Ａについてのみ説明し、第１表示装置１００Ａについては説明を省略する。
【００３８】
以下、図６を参照して、画像光ＧＬの光路について概要を説明する。導光部材１０ａは、投射レンズ３０から射出された画像光ＧＬを、第１〜第５面Ｓ１１〜Ｓ１５での反射等により観察者の眼に向けて導光する。具体的には、投射レンズ３０からの画像光ＧＬは、まず光入射部２０ａに形成されている第４面Ｓ１４の部分に入射して反射膜ＲＭの内面である第５面Ｓ１５で反射され、第４面Ｓ１４に内側から再度入射して全反射され、第３面Ｓ１３に入射して全反射され、第１面Ｓ１１に入射して全反射される。第１面Ｓ１１で全反射された画像光ＧＬは、第２面Ｓ１２に入射し、第２面Ｓ１２に設けたハーフミラー１５を部分的に透過しつつも部分的に反射されて光射出部２０ｂに形成されている第１面Ｓ１１の部分に再度入射して通過する。第１面Ｓ１１を通過した画像光ＧＬは、観察者の眼が配置される射出瞳ＥＰに略平行光束として入射する。つまり、観察者は、虚像としての画像光により画像を観察することになる。
【００３９】
次に、外界像に関する事項の説明の前段として、光透過部５０ａについて説明する。光透過部５０ａは、既述のように導光部材１０と一体的に固定され、導光部材１０ａの透視機能を補助する部材である。光透過部５０ａは、光学的な機能を有する側面として、第１透過面Ｓ５１と、第２透過面Ｓ５２と、第３透過面Ｓ５３とを有する。第２透過面Ｓ５２は、第１透過面Ｓ５１と第３透過面Ｓ５３との間に配置されている。第１透過面Ｓ５１は、導光部材１０の第１面Ｓ１１を延長した面上にあり、第２透過面Ｓ５２は、第２面Ｓ１２に対して接合され一体化されている曲面であり、第３透過面Ｓ５３は、導光部材１０の第３面Ｓ１３を延長した面上にある。
【００４０】
第１虚像形成光学部１０１ａは、導光部材１０ａにより観察者に画像光を視認させるとともに、導光部材１０ａと光透過部５０ａとの組み合わせた状態で、観察者に歪みの少ない外界像を観察させるものとなっている。この際、第３面Ｓ１３と第１面Ｓ１１とが互いに略平行な平面（視度略０）となっていることで、外界光ＯＬについて、収差等をほとんど生じさせない。また、第３透過面Ｓ５３と第１透過面Ｓ５１とが互いに略平行な平面となっている。さらに、第３透過面Ｓ５３と第１面Ｓ１１とが互いに略平行な平面となっていることで、収差等をほとんど生じない。以上により、観察者は、光透過部５０ａ越しに歪みのない外界像を観察することになる。
【００４１】
以下、図７等を参照して、装着型表示装置のうちフレキシブル基板の取付に関する構造について説明する。
【００４２】
図７は、装着型表示装置１００の内部構造について示す図であり、図３の斜視図に対応する平面図である。また、図８のうち、上欄の状態γ１は、図７において破線Ｘ１で囲って示す一部を拡大したものである。さらに、下欄の状態γ２は、状態γ１からフレキシブル基板ＦＢ１を覆うカバー部材ＦＣ（ＦＰＣカバー）を取り付けた様子をしている。また、図９は、フレキシブル基板ＦＢ１等のカバー部材ＦＣへの取付工程について説明するための概念図であり、図１０は、カバー部材ＦＣを含む箇所について、装着型表示装置１００を一部拡大した側断面図であり、図９に示すＡＡ矢視断面図に対応する図である。
【００４３】
カバー部材ＦＣは、例えば透明の樹脂製部材で構成され、第１フレキシブル基板である右眼用フレキシブル基板ＦＢ１を覆うべく、左右方向（＋Ｘ方向及び−Ｘ方向）の一方から他方にかけて延びている。
【００４４】
一方、例えば図７及び図８に示すように、第１フレキシブル基板である右眼用フレキシブル基板ＦＢ１には、カバー部材ＦＣに対する位置決めをする基板位置決め部材として、矩形状の一辺に凸形状を有する板状の補強板ＢＰが、右眼用フレキシブル基板ＦＢ１のうち取付具ＴＰに対応する中央の位置に取り付けられている。補強板ＢＰは、例えばポリイミド等で構成され、例えば０．２ｍｍ程度の厚みを有する板状部材であり、右眼用フレキシブル基板ＦＢ１を支持している。具体的には、補強板ＢＰは、凸形状の凸部ＤＴを有しており、状態γ２に示すように、カバー部材ＦＣに設けた切欠き部ＰＰに嵌合している。すなわち、補強板ＢＰの凸部ＤＴがカバー部材ＦＣの切欠き部ＰＰに嵌合することで、右眼用フレキシブル基板ＦＢ１のカバー部材ＦＣに対する位置決めがなされる。なお、図示の例では、右眼用フレキシブル基板ＦＢ１の上方側（−Ｙ側）に補強板ＢＰを設けているが、逆側に設けてもよい。一般にフレキシブル基板は、非常に薄いことが多く、フレキシブル基板ＦＢ１のように細長い部材で、かつ直角に折れ曲がる箇所を有しないような形状の場合、安定して固定させることが困難になる可能性が高い。そこで、ここでは、フレキシブル基板ＦＢ１の中央部に補強板ＢＰを設けこれを位置決め部とすることで、フレキシブル基板ＦＢ１をカバー部材ＦＣに対して所定の位置で確実に固定させるようにしている。
【００４５】
以下、図９を参照して、カバー部材ＦＣへのフレキシブル基板の取付について一例を概略説明する。ここでは、一例として、フレキシブル基板ＦＢ１〜ＦＢ３のうち、照度センサー用フレキシブル基板ＦＢ３及び右眼用フレキシブル基板ＦＢ１の取り付けについて示す。
【００４６】
まず、工程δ１に示すように、カバー部材ＦＣのうち裏側（＋Ｙ側）の面すなわちフレキシブル基板ＦＢ１，ＦＢ３の取付面に、第１フレキシブル基板であるフレキシブル基板ＦＢ１を固定する第１テープ部材ＴＡ１と、第２フレキシブル基板であるフレキシブル基板ＦＢ３を固定する第２テープ部材ＴＡ２とを取り付ける。第１テープ部材ＴＡ１と第２テープ部材ＴＡ２とは、粘着性の部材であり、図示のように互いに重畳しないように配置されている。これにより、テープ部材の重畳によるＹ方向について、厚みの増大を抑制している。
【００４７】
次に、工程δ２に示すように、フレキシブル基板ＦＢ３（第２フレキシブル基板）が、第２テープ部材ＴＡ２に貼り付けられて、カバー部材ＦＣのうち所定の位置に固定される。
【００４８】
さらに、工程δ３に示すように、フレキシブル基板ＦＢ１（第１フレキシブル基板）が、第２テープ部材ＴＡ２に貼り付けられて、カバー部材ＦＣのうち所定の位置に固定される。また、フレキシブル基板ＦＢ１あるいはカバー部材ＦＣの左右両端の所定位置にシーリング部材ＳＥが設けられる。シーリング部材ＳＥは、図２等に示す外装ケース１０５ｄの内外の境界の位置に設けられて外装ケース１０５ｄの内部を液密な状態に維持するための部材であり、例えばゴムパッキン等で構成される。
【００４９】
さらに、工程δ４に示すように、フレキシブル基板ＦＢ１を下方側（＋Ｙ側）から覆うシート部材ＳＢが設けられている。シート部材ＳＢは、例えば黒色の樹脂製部材であり、フレキシブル基板ＦＢ１が観察者（装着者）から見えてしまったり、フレキシブル基板ＦＢ１に意図しない光が反射して観察者の視認性に影響を与えてしまったりすることを回避あるいは抑制する。
【００５０】
なお、図示や説明を省略するが、フレキシブル基板ＦＢ２（第２フレキシブル基板）については、フレキシブル基板ＦＢ１のさらに下側（＋Ｙ側）に取り付けられる。
【００５１】
上記のようにして取り付けられた結果、図１０に例示するように、各部の組付けが完了した状態において、フレキシブル基板ＦＢ１は、透視型導光ユニット１００Ｃすなわち導光装置２０から離間した状態に維持されている。
【００５２】
上記に例示した構成の場合、第１フレキシブル基板であるフレキシブル基板ＦＢ１は、まず、中央位置において、補強板ＢＰにより支持されて補強されつつカバー部材ＦＣに取り付けられている。さらに、フレキシブル基板ＦＢ１は、テープ部材ＴＡ１により、カバー部材ＦＣに沿って貼り付けられ、また、シーリング部材ＳＥによって左右の両端側において固定することも可能となっている。すなわち、フレキシブル基板ＦＢ１は、カバー部材ＦＣに確実に固定される。
【００５３】
また、カバー部材ＦＣについては、まず、補強板ＢＰと嵌合する切欠き部ＰＰを有する中央位置において、例えばノーズパッドＮＰの取付具ＴＰに取り付けられることで、第１表示装置１００Ａ及び第２表示装置１００Ｂを一体化する透視型導光ユニット１００Ｃに対して固定される。さらに、カバー部材ＦＣは、＋Ｘ方向及び−Ｘ方向の左右両端において、第１表示装置１００Ａ及び第２表示装置１００Ｂに対してそれぞれ固定される。すなわち、カバー部材ＦＣは、その中心と両端の３箇所で、第１表示装置１００Ａ及び第２表示装置１００Ｂに対して固定されている。
【００５４】
以下、図１１に示す概略図を参照して、フレキシブル基板の内部構造について、一例を説明する。図示の例は、フレキシブル基板ＦＢ１とフレキシブル基板ＦＢ２の重畳部分について概念的に示す断面図であり、フレキシブル基板ＦＢ１の配線が延びる方向に垂直な面についての断面である。フレキシブル基板ＦＢ１は、多数の配線ＬＬを有しており、図示の例では、複数層の配線が断面視において互い違いにあるいはジグザグ状に配置されている。これにより、各配線ＬＬ間にある程度の距離を持たせるようにしている。また、多数の配線ＬＬについては、例えば伝送を行う信号線とグランド線とを交互に配置することで、信号線が隣り合わないようにして、信号線間での干渉を回避させてもよい。なお、以上では、フレキシブル基板ＦＢ１についてのみ図示しており、フレキシブル基板ＦＢ２の内部構造については省略しているが、フレキシブル基板ＦＢ２についても同様の構成にできる。なお、図示の例では、フレキシブル基板ＦＢ１を構成する１つの層において、まず、ベース材ＢＳの上に回路を形成する導電性の銅箔部ＣＬが設けられ、その上にカバーレイＶＬをカバーレイ接着剤ＡＤを介して施している。なお、この両面に導電性接着剤が施されて接着剤層ＡＬ１，ＡＬ２が形成されている。以上の層が複数層（図示では２層）積層されている。
【００５５】
以下、図１２等を参照して、照度センサーＬＳの配置や組付けについて一例を説明する。図１２は、装着型表示装置１００に設けた照度センサーＬＳについて一例を説明するための正面図であり、図１３は、装着型表示装置１００のうち照度センサーＬＳを含む部分について拡大した側断面図である。
【００５６】
既述のように、照度センサーＬＳは、周囲光強度の測定を行う外光センサーであり、図１２に例示するように、装着型表示装置１００を構成する第１表示装置１００Ａ及び第２表示装置１００Ｂのうち、第１表示装置１００Ａに設けられている。より具体的には、照度センサーＬＳは、第１表示装置１００Ａの導光部材１０ａにおける表面であって観察者の眼に対向する面のうち、前面側すなわち＋Ｚ側において、観察者の視界を妨げにくい隅の領域に設けられている。図示の例では、照度センサーＬＳは、観察者にとっての左側（−Ｘ側）かつ上方側（−Ｙ側）に位置している。この領域は、図６を参照して示した画像光ＧＬの伝搬において光路上の領域となり得る領域である。このため、本実施形態では、画像光ＧＬの伝搬を妨げないようにするため、照度センサーＬＳ及びこれに接続されるフレキシブル基板ＦＢ３を、図１３に示すように、導光部材１０ａの表面に対して離間した状態に維持する構造としている。
【００５７】
具体的に説明すると、まず、図１２及び図１２における破線Ｘ２で囲って示す箇所を一部拡大図として示すように、照度センサーＬＳは、カバー部材ＦＣから延長して形成される照度センサーカバー部材ＳＣに取り付けられる構造となっている。さらに、破線Ｘ２におけるＢＢ矢視断面図である図１３に示すように、照度センサーＬＳは、照度センサーカバー部材ＳＣに設けた凹部ＲＥに埋め込まれている。また、照度センサーＬＳに接続するフレキシブル基板ＦＢ３は、例えばカバー部材ＦＣのうち凹部ＲＥ周辺の平面部と接着固定されている。以上により、照度センサーＬＳ及びフレキシブル基板ＦＢ３は、導光部材１０ａの表面との間にＺ方向に関してクリアランスＣＬ１を設けた状態を維持して、照度センサーカバー部材ＳＣ延いてはカバー部材ＦＣに取り付けられている。
【００５８】
以下、図１４及び図１５を参照して、照度センサーＬＳの配置や組付けについて、一変形例を説明する。図１４のうち、状態ε１は、装着型表示装置１００のうち照度センサーＬＳを設けた部分について示す正面図であり、状態ε２は、平面図である。また、図１５は、図１４の照度センサーＬＳについて、異なる視点あるいは角度から示した斜視図である。
【００５９】
図示の一変形例では、先の一例と異なり、第１表示装置１００Ａの導光部材１０ａにおける表面であって観察者の眼に対向する面のうち、後面側すなわち−Ｚ側において、観察者の視界を妨げにくい隅の領域に設けられている。図示の例では、照度センサーＬＳは、観察者にとっての左側（−Ｘ側）かつ上方側（−Ｙ側）に位置している。この領域も、図６を参照して示した画像光ＧＬの伝搬において光路上の領域となり得る領域である。したがって、この場合も、先の一例と同様に、照度センサーＬＳ及びフレキシブル基板ＦＢ３が、導光部材１０ａの表面との間にクリアランスを設けた状態を維持するような構造としている。
【００６０】
以上のように、本実施形態に係る装着型表示装置１００では、左右の眼に対応して画像を表示する第１表示装置１００Ａ及び第２表示装置１００Ｂと、第１表示装置１００Ａから第２表示装置１００Ｂにかけて延びて信号を伝送する第１フレキシブル基板であるフレキシブル基板ＦＢ１と、フレキシブル基板ＦＢ１に重ねて配置される第２フレキシブル基板であるフレキシブル基板ＦＢ２，ＦＢ３とを備え、フレキシブル基板ＦＢ１の表面のうち、第２フレキシブル基板であるフレキシブル基板ＦＢ２に重なる面と反対側の面がシールドされており、フレキシブル基板ＦＢ２の表面のうち、フレキシブル基板ＦＢ１に重なる面と反対側の面がシールドされている。
【００６１】
以上の場合、まず、信号の伝送にフレキシブル基板ＦＢ１〜ＦＢ３を採用することで、ケーブルを薄くできる。特に、左右の一方から他方にかけて延びる箇所の配線を薄くすることで、装置のデザイン性を向上できる。さらに、上記態様の場合、複数のフレキシブル基板として高速信号線を含むフレキシブル基板ＦＢ１とフレキシブル基板ＦＢ２とを重ねて用いても、重畳されたフレキシブル基板全体として確実にシールドされた状態とすることができ、伝送に際する画像データ等の処理が高速化する場合であっても、外部から受けるノイズへの対処が可能となる。
【００６２】
また、本実施形態では、フレキシブル基板ＦＢ１を収納するカバー部材ＦＣを備え、第１表示装置１００Ａ及び第２表示装置１００Ｂは、画像光を導光する導光装置２０を有し、フレキシブル基板ＦＢ１は、シールドされ、カバー部材ＦＣに取り付けられて、導光装置２０から離間している。
【００６３】
以上の場合、フレキシブル基板ＦＢ１をシールドして、伝送に際する画像データ等のデータ量を増大する場合であっても、外部から受けるノイズに対処可能となる。さらに、フレキシブル基板ＦＢ１をカバー部材ＦＣに取り付け、導光装置２０から離間させていることで、導光装置２０の光学的機能にフレキシブル基板が影響することを回避あるいは抑制している。
【００６４】
〔第２実施形態〕
以下、図１６等を参照して、第２実施形態に係る装着型表示装置について説明する。なお、本実施形態に係る装着型表示装置は、撮像用のカメラを搭載していることと、これに伴う配線すなわちフレキシブル基板の構成とにおいて、第１実施形態の場合と異なっている。ただし、これら以外の点については、第１実施形態の場合と同様であるので、上記以外の各部については、詳しい説明を省略する。
【００６５】
図１６は、本実施形態に係る装着型表示装置２００の外観を示す正面図であり、図１２に対応する図である。また、図１７は、装着型表示装置２００の回路構成についての一例を示す概念的なブロック図であり、図５に対応する図である。
【００６６】
図示のように、本実施形態の装着型表示装置２００は、第１実施形態において図２等を参照して例示した装着型表示装置１００を構成する各部に加え、装置の中央部にカメラＣＡを設けた構成となっている。また、図１７に示すように、装着型表示装置２００には、カメラＣＡを駆動させるためのカメラ用回路基板ＣＤが第２表示装置１００Ｂに設けられている。さらに、カメラ用回路基板ＣＤを設けることに伴って、装着型表示装置２００は、メイン回路基板ＭＤとカメラ用回路基板ＣＤとを接続するカメラ制御用フレキシブル基板ＦＢ４と、カメラ用回路基板ＣＤとカメラＣＡとを接続するカメラ駆動用フレキシブル基板ＦＢ５とを有している。すなわち、カメラ用回路基板ＣＤは、メイン回路基板ＭＤは、メイン回路基板ＭＤの制御下で動作して、カメラＣＡを駆動する駆動回路基板である。
【００６７】
なお、本実施形態においても、第１実施形態の場合と同様に、右眼用フレキシブル基板ＦＢ１を第１フレキシブル基板とし、第１フレキシブル基板以外のフレキシブル基板であって、第１フレキシブル基板に重ねて配置されるフレキシブル基板であるフレキシブル基板ＦＢ２〜ＦＢ５を第２フレキシブル基板とする。
【００６８】
カメラＣＡは、例えばＣＣＤやＣＭＯＳ等の個体撮像素子で構成される撮像カメラであり、観察者の視線に応じた外界像を撮像する（捉える）外光センサーである。図１６に示すように、カメラＣＡは、ノーズパッドＮＰやその取付具ＴＰと同様に、中央の位置にすなわち観察者の眼と眼の間の位置に設置されている。これにより、観察者の視認方向とカメラ画像との間におけるずれの発生を抑えられる。したがって、例えばＡＲ（拡張現実）機能等で精度を高めることができる。仮に、カメラＣＡを例えば第２像形成本体部１０５ｂ側等のサイド方向に配置すると、ＡＲ機能等で精度低下を招くおそれがある。さらに、頭髪が長い観察者が使用する場合に、カメラＣＡのカメラレンズの前に髪がかかってしまい、機能低下するおそれもある。本構成では、カメラＣＡを中央に配置することで、かかる事態を回避あるは抑制できる。
【００６９】
以下、図１７に概念的に示すブロック図を参照して、フレキシブル基板ＦＢ１〜ＦＢ５の構成について説明する。
【００７０】
図１７のうち上欄の状態ζは、装着型表示装置２００における回路構成すなわち各部の接続の様子について示している。また、各フレキシブル基板ＦＢ１〜ＦＢ５を重畳させた状態について、下欄において状態ηとして概念的に示している。図示のように、ここでの一例では、重畳させる方向すなわちＹ方向に関して、最も下方側（＋Ｙ側）にフレキシブル基板ＦＢ２があり、その上方側（−Ｙ側）にフレキシブル基板ＦＢ１が重畳され、その上方側（−Ｙ側）にフレキシブル基板ＦＢ４が重畳され、その上方側（−Ｙ側）にフレキシブル基板ＦＢ３及びフレキシブル基板ＦＢ５が重畳されている。
【００７１】
まず、フレキシブル基板ＦＢ１〜ＦＢ５のうち、右眼用フレキシブル基板ＦＢ１と、左眼用フレキシブル基板ＦＢ２とは、表示素子８０での表示のための画像データの伝送を担うべく、高速信号線を含むものとなっている。一方、照度センサー用フレキシブル基板ＦＢ３については、必ずしも高速信号線を採用することを要せず、ここでは、高速信号線を含まないものとする。
【００７２】
以上に対して、カメラ制御用フレキシブル基板ＦＢ４と、カメラ駆動用フレキシブル基板ＦＢ５とは、カメラＣＡで撮像した画像についての画像データの伝送を担うべく、高速信号線を含むものとなっている。
【００７３】
なお、カメラ制御用フレキシブル基板ＦＢ４及びカメラ駆動用フレキシブル基板ＦＢ５は、画像データの伝送ケーブルとして機能するほか、カメラＣＡやカメラ用回路基板ＣＤを駆動させるための電力供給用ケーブルとしての機能するものとすることが考えられる。
【００７４】
以上のように、本実施形態では、フレキシブル基板ＦＢ３以外の各フレキシブル基板ＦＢ１，ＦＢ２，ＦＢ４，ＦＢ５は、高速信号線を含んでおり、これらを重畳させることで、大容量のデータ送信を可能としつつ、薄型で省スペースな構成となる配線を可能にしている。
【００７５】
この際、外部から受けるノイズの対策として、装着型表示装置２００では、高速信号線を含むフレキシブル基板ＦＢ１，ＦＢ２，ＦＢ４，ＦＢ５を、全体としてシールドされた状態となるように構成している。図示の例では、状態ηに示すように、高速信号線を含むフレキシブル基板ＦＢ１，ＦＢ２，ＦＢ４，ＦＢ５のうち、フレキシブル基板ＦＢ１，ＦＢ２が最下層側（＋Ｙ側）を形成し、フレキシブル基板ＦＢ４，ＦＢ５が最上層側（−Ｙ側）を形成している。これに伴い、まず、最下層側（＋Ｙ側）を形成するフレキシブル基板ＦＢ１，ＦＢ２の下方側（＋Ｙ側）には、シールド部Ｓ１ｂ及びシールド部Ｓ２ｂが設けられている。また、最上層側（−Ｙ側）を形成するフレキシブル基板ＦＢ４，ＦＢ５の上方側（−Ｙ側）には、シールド部Ｓ４ａ及びシールド部Ｓ５ａが設けられている。
【００７６】
ただし、図示の例では、カメラＣＡと接続するフレキシブル基板ＦＢ５については、他と重畳せずに独立して配線を行うこと等を想定して、単独で全体をシールドする構成としている。すなわち、フレキシブル基板ＦＢ５については、上層側（−Ｙ側）に設けたシールド部Ｓ５ａに加え、下層側（＋Ｙ側）にシールド部Ｓ５ｂが設けられている。シールド部Ｓ５ａとシールド部Ｓ５ｂとが電気的に接続されることで、単独で全体をシールドすることができる。
【００７７】
また、これに応じて、フレキシブル基板ＦＢ５が重畳しなくても、高速信号線を含む残りのフレキシブル基板ＦＢ１，ＦＢ２，ＦＢ４が、全体としてシールドされた状態となるように、フレキシブル基板ＦＢ４において、シールド部Ｓ４ａが上層側（−Ｙ側）の全体に設けられている。
【００７８】
また、以上に関して、見方を変えると、上記構成については、一のフレキシブル基板と他のフレキシブル基板とが重畳された箇所において、重なる面と反対側の面がシールドされているとも言える。例えば、フレキシブル基板ＦＢ１とフレキシブル基板ＦＢ４とでは、各表面のうち、重なる面と反対側の面には、シールド部Ｓ１ｂやシールド部Ｓ４ａがそれぞれ設けられている。一方、重なる面である重畳面Ｕ１ａや重畳面Ｕ４ｂには、シールドがされていない。以上のように、必要なシールド性を保持しつつも、シールド箇所が増大しすぎないようにすることで、シールド部の増大に伴うフレキシブル基板としての柔軟性が喪失されてしまうのを抑制している。
【００７９】
以下、図１８の概念的な平面図を参照して、カバー部材ＦＣへのフレキシブル基板の取付方法（固定方法）について、一例を概略説明する。ここでは、フレキシブル基板ＦＢ１〜ＦＢ５のうち、最も長い重複部分を有する右眼用フレキシブル基板ＦＢ１及びカメラ制御用フレキシブル基板ＦＢ４の取り付けについて示す。ここでは、第１フレキシブル基板であるフレキシブル基板ＦＢ１を、第１テープ部材ＴＡ１により貼り付け、第２フレキシブル基板であるフレキシブル基板ＦＢ４を、第２テープ部材ＴＡ２により貼り付けるものとする。
【００８０】
まず、工程ξ１に示すように、カバー部材ＦＣのうち裏側（＋Ｙ側）の面に、フレキシブル基板ＦＢ４を固定するための粘着性の第２テープ部材ＴＡ２を取り付け、工程ξ２に示すように、第２テープ部材ＴＡ２にフレキシブル基板ＦＢ４を貼り付ける。なお、以上において、図示のように、複数の第２テープ部材ＴＡ２は、カバー部材ＦＣの延びる方向に沿って間欠的に貼り付けられている。
【００８１】
次に、工程ξ３に示すように、工程ξ２において固定されたフレキシブル基板ＦＢ４の表面（＋Ｙ側の面）に、フレキシブル基板ＦＢ１を固定するための粘着性の第１テープ部材ＴＡ１を取り付け、工程ξ４に示すように、第１テープ部材ＴＡ１にフレキシブル基板ＦＢ１を貼り付ける。なお、以上において、図示のように、複数の第１テープ部材ＴＡ１は、カバー部材ＦＣの延びる方向に沿って間欠的に配置されている。さらに、上記貼付けについては、状態ξ５に示すように、第１テープ部材ＴＡ１と第２テープ部材ＴＡ２とが、互いに重畳せず互い違いとなる配置になっている。以上により、テープ部材の重畳によるＹ方向について、厚みの増大を抑制している。
【００８２】
以下、図１９等を参照して、カメラＣＡの配置や組付けについて一例を説明する。図１９は、装着型表示装置２００に設けたカメラＣＡについて一例を説明するための斜視図であり、図２０は、図１９に示すカメラＣＡについて内部構造を説明するための側断面図である。なお、図１９のうち、上欄に示す状態ψ１と下欄に示す状態ψ２とは、図１６に例示したカメラＣＡについて互いに異なる角度（視点）から一部拡大して示した斜視図であり、図２０は、図１６におけるＣＣ矢視断面図である。
【００８３】
既述のように、カメラＣＡは、観察者の視線に応じた外界像を撮像する（捉える）ための外光センサーであり、図示のように、装着型表示装置２００を構成する第１表示装置１００Ａと第２表示装置１００Ｂとの中央位置にあるカバー部材ＦＣから延長して形成されるカメラカバー部材ＣＣに取り付けられる構造となっている。
【００８４】
カメラＣＡは、気密あるいは液密な状態に維持すべく、図示のように、筐体状のカメラホルダーＣＡｈに収納されている。さらに、密閉用のシート部材ＣＡｓをカメラホルダーＣＡｈとカメラカバー部材ＣＣとの間に挟んだ状態で、カメラホルダーＣＡｈがカメラカバー部材ＣＣに対してネジ締め部ＮＣによりネジ締め固定されることで、カメラＣＡがカメラホルダーＣＡｈ内で密閉された状態となっている。なお、カメラＣＡ及びフレキシブル基板ＦＢ５は、導光装置２０の表面との間にＺ方向に関してクリアランスＣＬ１を設けた状態を維持して、カメラカバー部材ＣＣ延いてはカバー部材ＦＣに取り付けられている。
【００８５】
本実施形態においても、信号の伝送にフレキシブル基板ＦＢ１〜ＦＢ５を採用することで、ケーブルを薄くでき、さらに、高速信号線を含むフレキシブル基板を重ねて用いても、重畳されたフレキシブル基板全体として確実にシールドされた状態とすることができ、伝送に際する画像データ等の処理が高速化する場合であっても、外部から受けるノイズへの対処が可能となる。
【００８６】
また、フレキシブル基板ＦＢ１やフレキシブル基板ＦＢ４等をシールドして、伝送に際する画像データ等のデータ量を増大する場合であっても、外部から受けるノイズに対処可能となる。さらに、フレキシブル基板ＦＢ１やフレキシブル基板ＦＢ４をカバー部材ＦＣに取り付け、導光装置２０から離間させていることで、導光装置２０の光学的機能にフレキシブル基板が影響することを回避あるいは抑制している。
【００８７】
〔変形例及びその他の事項〕
以上で説明した各実施形態では、表示素子８０が有機ＥＬの表示パネルやＬＣＤ用のパネルであるとしたが、表示素子８０は、ＬＥＤアレイ、レーザーアレイ、量子ドット発光型素子等に代表される自発光型の表示素子であってもよい。さらに、表示素子８０は、レーザー光源とスキャナーとを組みあわせたレーザスキャナーを用いたディスプレイであってもよい。なお、ＬＣＤパネルに代えてＬＣＯＳ（Liquid crystal on silicon）技術を用いることもできる。
【００８８】
また、例えば図４等のメイン回路基板ＭＤ、左眼用回路基板ＤＬ、右眼用回路基板ＤＲや、図１７のカメラ用回路基板ＣＤは、演算素子、変換素子等の半導体素子によって構成される。具体的には、メイン回路基板ＭＤは、ＤＳＰ（Digital Signal Processor）、ＡＳＩＣ（Application Specific Integrated Circuit）、ＰＬＤ（Programmable Logic Device）、ＦＰＧＡ（Field Programmable Gate Array）、ＧＰＵ（Graphics Processing Unit）、ＣＰＵ（Central Processing Unit）等の回路をいずれか１つ以上含むものによって構成することができる。
【００８９】
また、外装ケース１０５ｄは、マグネシウム合金に限らず、アルミニウム又はアルミニウム合金で形成することができる。
【００９０】
また、第２実施形態において、カメラＣＡについては、通常の撮影を行うためのカメラのほか、赤外光等を捉えるカメラや温度検知のためのカメラ等、目的に応じて、種々のものが適用できる。また、これらの目的に応じて、カメラＣＡさらにはカメラ用回路基板ＣＤが取り換え可能であってもよい。
【００９１】
以上では、装着型表示装置１００，２００が、シースルー型のヘッドマウントディスプレイ（ＨＭＤ）あるとして説明したが、装着型表示装置１００等は、外界像のシースルー視ができないものであってもよく、外界像を遮断して虚像のみを観察する光学系とすることができる。
【００９２】
以上のように、第１の態様における装着型表示装置は、左右の眼に対応して画像を表示する第１表示装置及び第２表示装置と、第１表示装置から第２表示装置にかけて延びて信号を伝送する第１フレキシブル基板と、第１フレキシブル基板に重ねて配置される第２フレキシブル基板とを備え、第１フレキシブル基板の表面のうち、第２フレキシブル基板に重なる面と反対側の面がシールドされており、第２フレキシブル基板の表面のうち、第１フレキシブル基板に重なる面と反対側の面がシールドされている。
【００９３】
上記装着型表示装置では、信号の伝送にフレキシブル基板を採用することで、ケーブルを薄くできる。特に、左右の一方から他方にかけて延びる箇所の配線を薄くすることで、装置のデザイン性を向上できる。さらに、上記態様の場合、複数のフレキシブル基板を重ねて用いても、重畳されたフレキシブル基板全体として確実にシールドされた状態とすることができ、伝送に際する画像データ等の処理が高速化する場合であっても、外部から受けるノイズへの対処が可能となる。
【００９４】
具体的な側面において、第１フレキシブル基板の位置決めをする基板位置決め部材をさらに備える。この場合、基板位置決め部材により、第１フレキシブル基板を適切な位置に固定できる。
【００９５】
別の側面において、基板位置決め部材は、凸形状を有する補強板である。この場合、凸形状に基づき高精度な位置決めが可能になる。
【００９６】
さらに別の側面において、第１フレキシブル基板を固定する第１テープ部材と、第２フレキシブル基板を固定する第２テープ部材とは、重畳しないように配置されている。この場合、テープ部材による厚みの増大を抑制できる。
【００９７】
さらに別の側面において、第１フレキシブル基板は、第１表示装置及び第２表示装置のいずれかと接続されており、第２フレキシブル基板は、外光センサーと接続されている。この場合、第１フレキシブル基板により配線を集約でき、第２フレキシブル基板により外光センサーからの情報取得が可能になる。
【００９８】
さらに別の側面において、第１フレキシブル基板及び第２フレキシブル基板は、高速信号線を含む。この場合、高画質な画像を提供するための画像データ等の各種データの伝送が可能になる。
【００９９】
さらに別の側面において、第１フレキシブル基板及び第２フレキシブル基板は、グランドメッシュ線によりシールドされる。この場合、確実なシールドができる。
【０１００】
さらに別の側面において、第１フレキシブル基板及び第２フレキシブル基板を収納するカバー部材をさらに備え、第１表示装置及び第２表示装置は、画像光を導光する導光装置を有し、第１フレキシブル基板及び第２フレキシブル基板は、カバー部材に取り付けられて、導光装置から離間している。この場合、導光装置の光学的機能にフレキシブル基板が影響することを回避あるいは抑制できる。
【０１０１】
さらに別の側面において、カバー部材は、中心と両端の３箇所で、第１表示装置及び第２表示装置に対して固定されている。この場合、カバー部材を確実に固定することで、フレキシブル基板の固定状態を所望の状態に維持できる。
【０１０２】
さらに別の側面において、第１表示装置と第２表示装置とは、連結された一体的な部材であり、第１表示装置から第２表示装置にかけて面一で延びる平面を有し、第１フレキシブル基板は、平面に沿って延びている。この場合、左右の一方から他方にかけて延びる配線箇所を薄くできる。
【０１０３】
以上のように、第２の態様における装着型表示装置は、左右の眼に対応して画像を表示する第１表示装置及び第２表示装置と、第１表示装置から第２表示装置にかけて延びて信号を伝送するフレキシブル基板と、フレキシブル基板を収納するカバー部材とを備え、第１表示装置及び第２表示装置は、画像光を導光する導光装置を有し、フレキシブル基板は、シールドされ、カバー部材に取り付けられて、導光装置から離間している。
【０１０４】
上記装着型表示装置では、信号の伝送にフレキシブル基板を採用することで、ケーブルを薄くできる。特に、左右の一方から他方にかけて延びる箇所の配線を薄くすることで、装置のデザイン性を向上できる。また、上記態様の場合、フレキシブル基板をシールドして、伝送に際する画像データ等のデータ量を増大する場合であっても、外部から受けるノイズに対処可能となる。さらに、フレキシブル基板をカバー部材に取り付け、導光装置から離間させていることで、導光装置の光学的機能にフレキシブル基板が影響することを回避あるいは抑制している。
【０１０５】
具体的な側面において、カバー部材に対するフレキシブル基板の位置決めをする基板位置決め部材をさらに備える。この場合、基板位置決め部材により、フレキシブル基板を適切な位置に固定できる。
【０１０６】
別の側面において、第１表示装置と第２表示装置とは、連結された一体的な部材であり、第１表示装置から第２表示装置にかけて面一で延びる平面を有し、フレキシブル基板及びカバー部材は、平面に沿って延びている。この場合、左右の一方から他方にかけて延びる配線箇所を薄くできる。
【符号の説明】
【０１０７】
１０ａ，１０ｂ…導光部材、１５…ハーフミラー、２０…導光装置、２０ａ…光入射部、２０ｂ…光射出部、３０…投射レンズ、３８…鏡筒、５０…中央部材、５０ａ，５０ｂ…光透過部、８０…表示素子、１００…装着型表示装置、１００Ａ…第１表示装置、１００Ｂ…第２表示装置、１００Ｃ…透視型導光ユニット、１００Ｄ…カバー構造部、１０１ａ，１０１ｂ…虚像形成光学部、１０４…テンプル、１０５ｄ…外装ケース、１０９…ケーブル、２００…装着型表示装置、ＢＰ…補強板、ＣＡ…カメラ、ＣＡｈ…カメラホルダー、ＣＡｓ…シート部材、ＣＣ…カメラカバー部材、ＣＤ…カメラ用回路基板、ＣＬ１…クリアランス、ＣＶ…上カバー、ＤＬ…左眼用回路基板、ＤＲ…右眼用回路基板、ＤＴ…凸部、ＥＤ…外部装置、ＥＰ…射出瞳、ＦＢ１…フレキシブル基板（第１フレキシブル基板）、ＦＢ２〜ＦＢ５…フレキシブル基板（第２フレキシブル基板）、ＦＣ…カバー部材、ＦＳ…平面、ＧＬ…画像光、ＬＬ…配線、ＬＳ…照度センサー、ＭＤ…メイン回路基板、ＮＣ…ネジ締め部、ＮＰ…ノーズパッド、ＯＬ…外界光、ＰＰ…切欠き部、ＲＥ…凹部、ＲＭ…反射膜、Ｓ１ａ，Ｓ１ｂ，Ｓ２ｂ，Ｓ４ａ，Ｓ５ａ，Ｓ５ｂ…シールド部、ＳＢ…シート部材、ＳＣ…照度センサーカバー部材、ＳＥ…シーリング部材、ＴＡ１…第１テープ部材、ＴＡ２…第２テープ部材、ＴＰ…取付具、Ｕ１ａ，Ｕ１ｂ，Ｕ２ａ，Ｕ４ｂ…重畳面、ＵＳ…観察者（装着者）、ＡＤ…カバーレイ接着剤、ＡＬ１，ＡＬ２…接着剤層、ＢＳ…ベース材、ＣＬ…銅箔部、ＶＬ…カバーレイ、Ｘ１，Ｘ２…破線、α，β，γ１，γ２…状態、δ１〜δ４…工程、ε１，ε２，ζ…状態、ξ１〜ξ４…工程、ξ５…状態、ψ１，ψ２…状態
【図１】
2020195105.tif 000003
【図２】
2020195105.tif 000004
【図３】
2020195105.tif 000005
【図４】
2020195105.tif 000006
【図５】
2020195105.tif 000007
【図６】
2020195105.tif 000008
【図７】
2020195105.tif 000009
【図８】
2020195105.tif 000010
【図９】
2020195105.tif 000011
【図１０】
2020195105.tif 000012
【図１１】
2020195105.tif 000013
【図１２】
2020195105.tif 000014
【図１３】
2020195105.tif 000015
【図１４】
2020195105.tif 000016
【図１５】
2020195105.tif 000017
【図１６】
2020195105.tif 000018
【図１７】
2020195105.tif 000019
【図１８】
2020195105.tif 000020
【図１９】
2020195105.tif 000021
【図２０】
2020195105.tif 000022